(57)【要約】【課題】給水筒と容器との水密性に優れ、かつ構成部材の嵌合、離合が容易に行える小動物用給水器の栓体の提供【解決手段】給水筒を容器に固定する栓体であって、該栓体はキャップと弾性栓からなり、前記弾性栓は、中心部に給水筒を挿入可能な貫通孔が設けられ、外周面には容器の入口部内壁面と弾性的に接触する複数の環状ヒダが設けられ、先端部には前記キャップと嵌合する環状フランジと該環状フランジとによって形成される溝が設けられ、前記キャップの先端部には、前記弾性栓の溝と嵌合する環状突出部が形成され、該環状突出部に傾斜状切欠き部が設けられている【選択図】図３
2015204750.tif 000002
【特許請求の範囲】
【請求項１】
給水筒を容器に固定する栓体であって、該栓体はキャップと弾性栓からなり、前記弾性栓は、中心部に給水筒を挿入可能な貫通孔が設けられ、外周面には容器の入口部内壁面と弾性的に接触する複数の環状ヒダが設けられ、先端部には前記キャップと嵌合する環状フランジと該環状フランジとによって形成される溝が設けられ、前記キャップの先端部には、前記弾性栓の溝と嵌合する環状突出部が形成され、該環状突出部に傾斜状切欠き部が設けられていることを特徴とする小動物用飼育装置に使用する給水器用栓体。
【請求項２】
前記キャップには、内周面に前記容器の入口の外周と螺合するねじ部が形成されている請求項１記載の給水器用栓体。
【発明の詳細な説明】
【技術分野】
【０００１】
本発明は、マウスなどの小動物を飼育するための飼育ケージに装着される給水具の栓体に関するものである。
【背景技術】
【０００２】
一般的な給水具は、プラスチックなどで成形された容器の口部に、先端部にボール弁などが設けられた給水筒を有底筒状のキャップを介して取り付けたもので（特許文献１〜４）、前記容器を飼育ケージに装着し、給水筒の先端がケージ内に位置するよう配置される。
ケージ内の小動物は、給水筒の先端のボールを舌で舐めて押し込むことにより、弁を開放し、水を飲むことができる。
【０００３】
このタイプの給水器は、重力を利用して水を供給するので、容器の開口部を下向きにして使用され、キャップの密閉性が不十分だと水漏れが生じてしまう。
そのため、給水筒先端の弁部だけでなく、容器の口部における前記給水筒の取り付け構造にも十分な水密性が求められていた。
【０００４】
また、飼育対象が実験用小動物の場合、無菌状態を維持するため、給水器も使用するごとに分解して洗浄し、殺菌・消毒する必要がある。しかし、上述したように容器の口部への給水筒の取り付けは、高度の水密性が要求されるため強固に取り付けられることが多く、分解するのに手間がかかった。
【先行技術文献】
【特許文献】
【０００５】
【特許文献１】実開昭５６−１０４３５７号公報
【特許文献２】実開昭５９−１３６９５４号公報
【特許文献３】特開平０９−２３８５９０号公報
【特許文献４】特開平１０−２６２４８４号公報
【発明の開示】
【発明が解決しようとする課題】
【０００６】
本発明は、上記従来技術の問題を解決するもので、容器の口部と給水筒との間に十分な水密性を確保するとともに、給水筒の容器への取り付け取り外しが簡単で、且つ構成部材の分解も簡単な栓体を提供することを目的とする。
【課題を解決するための手段】
【０００７】
給水筒を容器に固定する本発明の栓体は、キャップと弾性栓からなり、前記弾性栓は、中心部に給水筒を挿入可能な貫通孔が設けられ、外周面には容器の入口部内壁面と弾性的に接触する複数の環状ヒダが設けられ、先端部には前記キャップと嵌合する環状フランジが形成され、前記キャップの先端部には、前記弾性栓の環状フランジが嵌合する環状溝部が形成され、該溝部を形成する環状突出部に傾斜状切欠き部が設けられていることを特徴とする。
上記の栓体の構成によれば、給水筒を中心に貫通保持した弾性栓は、容器入口部の内周面と複数の弾性ヒダにより接触するので、強固に容器に保持されるが、前記キャップの内周面に前記容器の入口の外周と螺合するねじ部を形成しておけば、より確実に容器に保持される。
【０００８】
弾性栓は、使用前後の殺菌処理を考え、シリコンゴムのような耐熱性に優れた弾性体、キャップはポリプロピレンなどの耐熱性に優れた硬質プラスチックで作成するのが好ましい。また、紫外線や放射線の照射による殺菌が採用される場合には、それぞれ、耐紫外線、耐放射線に優れた材料を選択する。
【発明の効果】
【０００９】
本発明の栓体によれば、容器入口部の内壁面とは弾性栓の外周に設けられた複数の環状ヒダにより、給水筒とは弾性栓の中心に設けられた貫通孔との面接触により、確実な水密性が得られる。
弾性栓の貫通孔に給水筒を挿入した状態では弾性栓のフランジ部は中心方向への変形が制限されるので、キャップの溝と確実に嵌合し、キャップを把持して弾性栓の容器入口部への脱着が容易に行える。
栓体を分解するには、貫通孔の給水筒を引き抜き、そのまま弾性栓をキャップに対して引っ張れば、弾性栓のフランジ部が中心方向へ変形して、キャップより容易に離脱させることができる。
逆に、弾性栓をキャップに装着するには、弾性栓のフランジ部をキャップの環状突出部に設けられた傾斜状切欠き部に押し付け、傾斜方向にねじ込むことにより、容易に弾性栓のフランジ部をキャップの溝に装着することができる。
【図面の簡単な説明】
【００１０】
【図１】本発明の栓体を含む給水器の全体図である。
【図２】（Ａ）本発明の栓体を構成するキャップの平面図である。（Ｂ）本発明の栓体を構成するキャップと弾性栓の断面図である。
【図３】本発明の栓体を構成するキャップと弾性栓が嵌合した状態を示す図である。
【発明を実施するための形態】
【００１１】
本発明の給水器用栓体を図面で説明する。
図１は、本発明の栓体を含む給水器の全体図である。本発明の栓体は、弾性栓１とキャップ２からなり、給水筒３を容器４の口部４１に固定するものである。弾性栓１には、容器４の口部４１の内周面に弾性的に接触する複数の環状ヒダ１３が形成され、中心には給水筒３が挿入される貫通孔が形成されている。キャップ２には、中央の開口部に弾性栓１の溝と係合する環状突出部２１が形成され、該吐出部には、斜めの切欠き２２が設けられている。
【００１２】
図２に示されるように、弾性栓体１の端部には前記キャップ２の環状突出部２１と嵌合する溝１１が設けられている。
前記キャップ２に弾性栓１を結合させるには、弾性栓１の先端のフランジ１２をキャップの前記切欠き２２に当接させ、ねじ込むように弾性体１を回転させれば、キャップ２の吐出部２１が弾性栓の溝１１に嵌合し、両者が結合される。
【００１３】
この状態で図３に示すように、弾性栓１の貫通孔に給水筒３を挿入すると、給水筒３が存在することにより弾性栓１の中心方向の変形が制限されるので、弾性栓１の溝１１とキャップ２の吐出部２１が確実に係合する。
【００１４】
このように弾性栓１はキャップ２に強固に固定されるので、弾性栓１の容器の口部４１への挿入は、キャップ２を容器の口部４１に被せることにより行われるので、簡単である。
【００１５】
本発明の栓体は、弾性栓１の外周部に形成された複数の環状ヒダ１３と容器の口部の内周面との接触、及び弾性栓１の貫通孔と給水筒３との接触により、確実に水密性が維持させるので、給水筒３を下方に向けた状態でも本発明の栓体部で漏水は生じない。
【００１６】
なお、図面には記載されていないが、キャップの内周面及び容器口部４１の外周面に、ねじを形成しキャップ２を容器の口部４１に螺合させるように構成してもよく、このような構成により本発明の栓体と容器とを、より強固に接続することができる。
【００１７】
次に、本発明の栓体を使用する給水器を所定期間使用した後、清掃や殺菌のため分解するには、以下の手順で行う。
まず、キャップ２を弾性栓１とともに容器口部４１から外し、次いで、弾性栓１の貫通孔に挿入されている給水筒３を引き抜く。
この状態で、弾性栓１を引っ張れば、弾性栓１のフランジ部は中心部に向かって容易に変形するので、弾性栓１の溝１１とキャップの吐出部２１の係合を容易に外すことができる。
【産業上の利用可能性】
【００１８】
本発明の栓体では、弾性栓を利用しているので、給水筒３と容器との確実な水密性が達成され、把持することが難しい弾性栓１を、キャップに確実に固定したので、キャップに固定した状態で容器の口部への挿入、離脱が可能となった。
さらに、本件発明の栓体は、鋼製部材の嵌合、離脱が容易に行えるので、使用後の洗浄や殺菌が不可欠な実験動物用の給水器の栓体として好適に使用することができる。
【符号の説明】
【００１９】
１  弾性栓
２  キャップ
３  給水筒
４  容器
１１  溝
１２  フランジ部
１３  環状ヒダ
２１  突出部
２２  切欠き部
４１  容器口部
【図１】
2015204750.tif 000003
【図２】
2015204750.tif 000004
【図３】
2015204750.tif 000005